(57)【要約】【課題】運用メモを用いて監視対象物を監視するオペレータの操作性をいっそう向上させる。【解決手段】画面表示装置は、監視対象物である複数の機器の状態を示す情報を表示するためのベース画面と、ベース画面の一部分を拡大したビュー画面とをオペレータの操作に応じてディスプレイに表示する。画面表示装置は、ベース画面データと、オペレータにより入力されるメモの内容およびベース画面とビュー画面とのうちメモを表示対象とする画面の指定を示す運用メモデータを記憶する。画面表示装置は、オペレータからメモの入力と、入力されるメモをベース画面とビュー画面との少なくともいずれで表示させるかの指定とを受け付けて、受け付けたメモの内容および指定に基づいて、記憶される運用メモデータを更新し、運用メモデータに示される指定に基づいて、べース画面またはビュー画面にメモを合成した画像を表示させる。【選択図】図１
2016200951.tif 000002
【特許請求の範囲】
【請求項１】
オペレータが監視対象物を監視するための画面表示装置であって、
前記オペレータから入力操作を受け付けるように構成された操作受付部と、
監視対象物である複数の機器の状態を示す情報を表示するためのベース画面と、前記ベース画面の一部分を拡大したビュー画面とを前記オペレータの操作に応じて表示するように構成されたディスプレイと、
各前記複数の機器が前記ベース画面において表示される位置を示すベース画面データと、前記オペレータにより前記操作受付部を介して入力されるメモの内容および前記ベース画面と前記ビュー画面とのうち前記メモを表示対象とする画面の指定を示す運用メモデータとを記憶するように構成された記憶部と、
前記画面表示装置の動作を制御するように構成された制御部とを備え、
前記制御部は、
前記操作受付部を介して、前記オペレータから前記メモの入力と、入力される前記メモを前記ベース画面と前記ビュー画面との少なくともいずれで表示させるかの指定とを受け付けて、受け付けた前記メモの内容および前記指定に基づいて、前記記憶部に前記運用メモデータを記憶させるメモ入力受付部と、
前記運用メモデータに示される前記指定に基づいて、前記べース画面または前記ビュー画面に前記メモを合成した画像を前記ディスプレイに表示させる表示制御部とを含む、画面表示装置。
【請求項２】
前記表示制御部が前記画像を前記ディスプレイに表示させることには、
前記オペレータによる前記監視対象物の監視時に、所定の条件が満たされることにより、前記運用メモデータにおいて、前記ベース画面または前記ビュー画面のいずれか一方が指定される前記メモの少なくとも一部を未指定の画面に表示させること、または、当該メモの少なくとも一部を前記未指定の画面に移動させることのうち少なくともいずれかを実行することで、前記ディスプレイに前記画像を表示させることが含まれる、請求項１に記載の画面表示装置。
【請求項３】
前記表示制御部は、前記オペレータによる前記監視対象物の監視時に、予め指定された時間が経過したことを計測することにより前記所定の条件が満たされたと判断する、請求項２に記載の画面表示装置。
【請求項４】
前記表示制御部は、前記監視対象物である複数の機器の状態が変化したことを検出したときに、前記所定の条件が満たされたと判断する、請求項２に記載の画面表示装置。
【請求項５】
前記画面表示装置は、複数のオペレータがログイン可能に構成されており、
前記制御部は、ログイン操作の受付時に前記オペレータを認証する認証処理部を含み、
前記記憶部が記憶する前記運用メモデータは、各前記メモを表示する対象とする前記オペレータの指定を含み、
前記表示制御部は、認証された各前記オペレータが指定された前記メモを前記ディスプレイに表示するように構成されている、請求項１から４のいずれか１項に記載の画面表示装置。
【発明の詳細な説明】
【技術分野】
【０００１】
本開示は、オペレータが監視対象物を監視するための画面表示装置において、画面上の任意の位置に、任意の文字情報を含む運用メモを表示させる技術に関する。
【背景技術】
【０００２】
電力系統監視制御システムなど、オペレータが監視対象物を監視するシステムにおいて、画面表示装置は、監視対象物（例えば、開閉器など）の状態を示す情報をディスプレイに表示する。例えば、画面表示装置は、系統図を表示し、開閉器の動作状況などに応じて、逐次、表示を更新する。画面表示装置は、オペレータの操作に応じて、監視対象物である複数の機器の状態を示す情報を表示するためのベース画面と、ベース画面の一部分を拡大したビュー画面とをディスプレイに表示する。
【０００３】
また、画面表示装置は、運用の利便性を向上させるため、オペレータの操作に応じて、テキストを含む運用メモを、ベース画面上の任意の位置に作成可能としている。運用メモには、例えば、機器が故障していること、機器の点検期間、注意事項、オペレータが引き継ぐ際の留意事項など様々な情報がオペレータによって入力される。例えば、オペレータは、監視対象物である開閉器を示す画像の近くに、当該開閉器の点検スケジュールの情報などを含む運用メモを配置することで、運用上の利便性を向上させている。
【０００４】
このように、ベース画面に対して任意の位置に任意の情報を運用メモとして書き込むことで、運用上の利便性が向上するため、従来より様々な技術が検討されている。例えば、特開平５−３２４２３３号公報（特許文献１）は、ベース画面に対して任意の情報をメモ書き感覚で簡単に書き込むことができ、オペレータに対する運転監視支援機能を向上できる画面表示装置について記載している。具体的には、特許文献１に記載される画面表示装置は、ベース画面の所望位置に書き込みたいメモ情報を、ベース画面に対応する座標情報に変換して入力し、メモリから読み出した情報に基づいて、ベース画面の所望位置に、メモ情報を表示させた画面を出力する技術について記載している。
【先行技術文献】
【特許文献】
【０００５】
【特許文献１】特開平５−３２４２３３号公報
【発明の概要】
【発明が解決しようとする課題】
【０００６】
しかし、ベース画面では、運用メモは、ベース画面上の座標情報に対応付けて表示されているため、オペレータがベース画面の一部を拡大したビュー画面によって操作をする場合、拡大に伴って運用メモの表示位置が離れてしまい、スクロール操作等によって表示範囲を移動させると、運用メモが見えづらくなるという課題がある。したがって、運用メモの表示位置を柔軟に指定できる画面表示装置が必要とされている。本開示の目的は、運用メモを用いて監視対象物を監視するオペレータの操作性をいっそう向上させる画面表示装置を提供することである。
【課題を解決するための手段】
【０００７】
一実施形態に従う画面表示装置は、オペレータが監視対象物を監視するためのものである。オペレータから入力操作を受け付けるように構成された操作受付部と、監視対象物である複数の機器の状態を示す情報を表示するためのベース画面と、ベース画面の一部分を拡大したビュー画面とをオペレータの操作に応じて表示するように構成されたディスプレイと、各複数の機器がベース画面において表示される位置を示すベース画面データと、オペレータにより操作受付部を介して入力されるメモの内容およびベース画面とビュー画面とのうちメモを表示対象とする画面の指定を示す運用メモデータとを記憶するように構成された記憶部と、画面表示装置の動作を制御するように構成された制御部とを備える。制御部は、操作受付部を介して、オペレータからメモの入力と、入力されるメモをベース画面とビュー画面との少なくともいずれで表示させるかの指定とを受け付けて、受け付けたメモの内容および指定に基づいて、記憶部に運用メモデータを記憶させるメモ入力受付部と、運用メモデータに示される指定に基づいて、べース画面またはビュー画面にメモを合成した画像をディスプレイに表示させる表示制御部とを含む。
【発明の効果】
【０００８】
上記一実施形態に従う画面表示装置は、オペレータから、運用メモを、ベース画面とビュー画面との少なくともいずれで表示させるかの指定を受け付ける。そのため、ビュー画面においても表示することが望ましい場合に、オペレータは、ビュー画面を指定して運用メモを作成することで、オペレータの運用時の操作内容にかかわらず画面に運用メモを表示することができ、オペレータの操作性が向上する。
【０００９】
この発明の上記および他の目的、特徴、局面および利点は、添付の図面と関連して理解されるこの発明に関する次の詳細な説明から明らかとなるであろう。
【図面の簡単な説明】
【００１０】
【図１】実施の形態１の画面表示装置１０の機能的な構成を示す図である。
【図２】実施の形態の画面表示装置１０のハードウェア的な構成を示す図である。
【図３】運用メモ情報テーブル１２４のデータ構造を示す図である。
【図４】画面表示装置１０がオペレータから運用メモの設定を受け付けて運用メモ情報テーブル１２４を更新する処理を示すフローチャートである。
【図５】ベース画面とビュー画面とに運用メモを表示する表示例を示す図である。
【図６】オペレータから運用メモの設定を受け付けるための設定ダイアログの表示例を示す図である。
【図７】ベース画面またはビュー画面の表示内容を、オペレータの操作に応じて更新する処理を示すフローチャートである。
【図８】実施の形態２の画面表示装置１２の機能的な構成を示す図である。
【図９】実施の形態２の画面表示装置１２が記憶する運用メモ情報テーブル１２６のデータ構造を示す図である。
【図１０】画面表示装置１２がオペレータから運用メモの設定を受け付けて運用メモ情報テーブル１２６を更新する処理を示すフローチャートである。
【図１１】機器の状態が変化するイベントが発生した場合の運用メモの表示例を示す図である。
【図１２】機器を選択するイベントが発生した場合の運用メモの表示例を示す図である。
【図１３】実施の形態２においてオペレータから運用メモの設定を受け付けるための設定ダイアログの表示例を示す図である。
【図１４】ベース画面またはビュー画面の表示内容を、イベントの発生に応じて画面表示装置１２が更新する処理を示すフローチャートである。
【図１５】実施の形態３における画面表示装置の表示例を示す図である。
【発明を実施するための形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１２】
＜実施の形態１＞
図面を参照して、本実施の形態の画面表示装置１０を説明する。画面表示装置１０は、例えば、電力系統監視制御システムなど、オペレータが監視対象物を監視するシステムにおいて監視対象物の状態を表示するために用いられる。画面表示装置１０は、ベース画面またはビュー画面をディスプレイ１０２に表示して、オペレータからの操作をマウス１０１によって受け付ける。ベース画面は、オペレータが監視対象とする複数の機器の状態を表示するための画面である。ビュー画面は、オペレータの操作によりベース画面の一部分を拡大した画面である。
【００１３】
図１は、実施の形態１の画面表示装置１０の機能的な構成を示す図である。図１に示すように、画面表示装置１０は、マウスイベント受付部１１１と、マウスイベント処理部１１２と、ベース画面コントローラ１１３と、運用メモコントローラ１１４と、ビュー画面コントローラ１１５と、データベース１２０と、ベース画面メモリ１３３と、ベースメモ画面メモリ１３４と、ビュー画面メモリ１３５と、ビューメモ画面メモリ１３６と、画面表示用メモリ１３７と、画面表示部１４１とを含む。データベース１２０は、ベース画面データ１２３と、運用メモ情報テーブル１２４とを格納している。ベース画面データ１２３は、オペレータが監視対象とする複数の機器（例えば、開閉器など）をディスプレイ１０２に表示するため、各機器の座標を含むデータである。運用メモ情報テーブル１２４は、オペレータにより入力される運用メモを表示するベース画面、運用メモをベース画面とビュー画面とのうち少なくともいずれで表示するかの指定、運用メモを表示するための座標、運用メモの内容などを対応付けて管理するための情報である。画面表示装置１０は、入力手段としてマウス１０１と接続している。また、画面表示装置１０は、出力手段としてディスプレイ１０２と接続している。
【００１４】
マウスイベント受付部１１１は、マウス１０１から入力されるマウスの動作信号を動作イベント（例えば、クリックイベント）の入力として受け付けて、イベント内容をマウスイベント処理部１１２へ渡す。
【００１５】
マウスイベント処理部１１２は、マウスイベント受付部１１１から受け付けたマウスの動作イベントの種別を判定する。
【００１６】
ベース画面コントローラ１１３、運用メモコントローラ１１４およびビュー画面コントローラ１１５は、メモリに対する読み出し、書き込みおよび消去をするためのコントローラである。ベース画面メモリ１３３は、オペレータが指定するベース画面の画像データを記憶するためのメモリである。ベースメモ画面メモリ１３４は、オペレータが指定するベース画面に表示される運用メモを画像データとして記憶するためのメモリである。ビュー画面メモリ１３５は、オペレータが指定する表示範囲に応じて、ベース画面の一部分を拡大したビュー画面の画像データを記憶するためのメモリである。ビューメモ画面メモリ１３６は、ビュー画面において表示する運用メモを画像データとして記憶するためのメモリである。
【００１７】
ベース画面コントローラ１１３は、マウスイベント処理部１１２と接続し、オペレータが指定するベース画面をデータベース１２０のベース画面データ１２３から読み出して、読み出したベース画面をベース画面メモリ１３３へ書き込む。
【００１８】
運用メモコントローラ１１４は、マウスイベント処理部１１２と接続し、オペレータが入力した運用メモを運用メモ情報テーブル１２４に書き込む処理を、運用メモを運用メモ情報テーブル１２４から読み出して、読み出した運用メモを、運用メモを表示すべき画面に応じてベースメモ画面メモリ１３４とビューメモ画面メモリ１３６との少なくともいずれかへ書き込む。
【００１９】
ビュー画面コントローラ１１５は、マウスイベント処理部１１２と接続し、ベース画面のうち、オペレータが表示範囲とする画像データをベース画面メモリ１３３から読み出して、読み出した画像データに拡大処理を施してビュー画面メモリ１３５へ書き込む。また、ビュー画面コントローラ１１５は、ベース画面に表示される運用メモをベースメモ画面メモリ１３４から読み出して、オペレータが指定する表示範囲に応じた位置に運用メモを表示するため移動、拡大等の処理を施した運用メモの画像データをビューメモ画面メモリ１３６へ書き込む。ビュー画面コントローラ１１５は、ベース画面を表示する場合は、ベース画面メモリ１３３とベースメモ画面メモリ１３４とからデータを読み出して合成した画像データを画面表示用メモリ１３７へ書き込み、ビュー画面を表示する場合はビュー画面メモリ１３５とビューメモ画面メモリ１３６とからデータを読み出して合成した画像データを画面表示用メモリ１３７へ書き込む。
【００２０】
画面表示部１４１は、画面表示用メモリ１３７に保持されるデータを読み出して、ディスプレイ１０２に映像信号として出力する。
【００２１】
図２は、実施の形態の画面表示装置１０のハードウェア的な構成を示す図である。図２に示すように、画面表示装置１０において、入力ＩＦ（Interface）１９０と、出力ＩＦ１９１と、メモリコントローラ１９２と、記憶部１９３と、データベース１２０と、制御部１９４とがバスを介して接続される。
【００２２】
入力ＩＦ１９０は、マウス１０１等の入力装置の接続を受け付けるインタフェースである。入力ＩＦ１９０は、オペレータから入力操作を受け付けるように構成された操作受付部として機能する。
【００２３】
出力ＩＦ１９１は、ディスプレイ１０２等の出力装置と接続するためのインタフェースである。
【００２４】
メモリコントローラ１９２は、メモリとして機能するデータベース１２０および記憶部１９３に対し、読出し、書き込みおよび消去をするためのコントローラである。メモリコントローラ１９２は、図１に示すベース画面コントローラ１１３、運用メモコントローラ１１４およびビュー画面コントローラ１１５の機能を発揮する。
【００２５】
記憶部１９３は、フラッシュメモリ、ＨＤＤ（Hard  Disk  Drive）、ＲＡＭ（Random  Access  Memory）等の記憶装置により構成され、画面表示装置１０が使用するプログラムを記憶し、画面表示装置１０が使用する各種のデータを蓄積する。ある局面において、記憶部１９３は、オペレータ認証情報１９８と、メモ合成画面１９９とを記憶する。オペレータ認証情報１９８は、画面表示装置１０を操作するオペレータを認証するための情報である。画面表示装置１０は、複数のオペレータが操作可能であり、各オペレータを認証する。画面表示装置１０は、認証されたオペレータに応じて、ディスプレイ１０２に表示する運用メモを制御する。すなわち、画面表示装置１０は、個々のオペレータごとに適した運用メモをディスプレイ１０２に表示するように構成されている。メモ合成画面１９９は、ディスプレイ１０２に出力する対象となる画面のデータであり、ベース画面またはビュー画面と、運用メモとが合成された画像である。記憶部１９３は、図１に示すベース画面メモリ１３３、ベースメモ画面メモリ１３４、ビュー画面メモリ１３５、ビューメモ画面メモリ１３６および画面表示用メモリ１３７として機能する。
【００２６】
制御部１９４は、記憶部１９３に記憶される制御プログラムを読み込んで実行することにより、画面表示装置１０の動作を制御する。制御部１９４は、例えば複数のプロセッサにより実現され、ＧＰＵ（Graphics  Processing  Unit）を含むこととしてもよい。制御部１９４は、プログラムに従って動作することにより、メモ入力受付部１９５と、表示制御部１９６と、認証処理部１９７としての機能を発揮する。また、制御部１９４は、図１に示すマウスイベント受付部１１１、マウスイベント処理部１１２および画面表示部１４１として機能する。
【００２７】
メモ入力受付部１９５は、入力ＩＦ１９０を介して、運用メモの入力と、入力される運用メモをベース画面とビュー画面との少なくともいずれで表示させるかの指定とをオペレータから受け付ける。メモ入力受付部１９５は、オペレータから受け付けた運用メモの内容および運用メモを表示させる画面の指定に基づいて、データベース１２０に運用メモを記憶させて運用メモ情報テーブル１２４を更新する。
【００２８】
表示制御部１９６は、運用メモ情報テーブル１２４に示される、運用メモをベース画面とビュー画面との少なくともいずれで表示させるかの指定に基づいて、ベース画面データ１２３として記憶されるべース画面またはビュー画面に運用メモを合成し、合成した画像を、出力ＩＦ１９１を介してディスプレイ１０２に表示させる。
【００２９】
認証処理部１９７は、オペレータからのログイン操作を受け付けて、ログイン操作の受付時にオペレータを認証する。運用メモ情報テーブル１２４には、ディスプレイ１０２に表示すべき運用メモと、各オペレータの指定とが対応付けられている。表示制御部１９６は、認証されたオペレータが指定された運用メモをディスプレイ１０２に表示する。
【００３０】
＜データ構造＞
図３を参照して、本実施の形態の画面表示装置１０が使用するデータのデータ構造を説明する。
【００３１】
図３は、運用メモ情報テーブル１２４のデータ構造を示す図である。図３に示すように、運用メモ情報テーブル１２４の各レコードは、運用メモＩＤ１２４Ａと、ベース画面番号１２４Ｂと、指定種別１２４Ｃと、運用メモ貼付け座標１２４Ｄと、メモ内容１２４Ｅとを含む。
【００３２】
運用メモＩＤ１２４Ａは、オペレータによって入力される各運用メモを識別する情報である。
【００３３】
ベース画面番号１２４Ｂは、運用メモを表示する対象となるベース画面を識別する情報である。画面表示装置１０は、複数種類のベース画面を表示可能に構成されており、オペレータによって指定されたベース画面をディスプレイ１０２に表示する。
【００３４】
指定種別１２４Ｃは、運用メモを表示する対象がベース画面であるか（図３において、指定「１．ベース画面指定」として示す）、ビュー画面であるか（指定「２．ビュー画面」）、ベース画面とビュー画面との両方であるか（指定「３．両画面指定」）を示す。
【００３５】
運用メモ貼付け座標１２４Ｄは、運用メモを表示する座標を示す。本実施形態では、画面表示装置１０は、ベース画面において運用メモを表示するための座標（ベース画面座標）と、ビュー画面において運用メモを表示するための座標（ビュー画面座標）とをそれぞれ設定可能であるとしている。
【００３６】
メモ内容１２４Ｅは、オペレータによって入力される運用メモの内容（テキスト）を示す。
【００３７】
＜動作＞
図４から図７を参照して、画面表示装置１０の動作を説明する。
【００３８】
図４は、画面表示装置１０がオペレータから運用メモの設定を受け付けて運用メモ情報テーブル１２４を更新する処理を示すフローチャートである。画面表示装置１０は、オペレータから、運用メモを貼り付けるための入力操作を受け付けることにより、図４に示す処理を行う。
【００３９】
ステップＳ１０１において、制御部１９４は、オペレータが指定した座標（例えば、マウスクリックがなされた座標）について、ベース画面座標とビュー画面座標とを取得する。
【００４０】
ステップＳ１０５において、制御部１９４は、ディスプレイ１０２に、運用メモを設定するための設定用ダイアログを表示して、オペレータからの運用メモの入力を受け付ける。画面表示装置１０は、設定用ダイアログへの入力操作を受け付けることにより、運用メモの内容と、運用メモをベース画面とビュー画面との少なくともいずれで表示させるか（運用メモをベース画面でのみ表示するか、ビュー画面でのみ表示するか、またはベース画面とビュー画面との両方で表示するか）の指定を受け付ける。
【００４１】
ステップＳ１０９において、制御部１９４は、設定用ダイアログに対してなされた操作が保存ボタンへの押下操作であるか判定する。保存ボタンへの押下操作がなされた場合（ステップＳ１０９においてＹＥＳ）、制御部１９４は、ステップＳ１１３の処理を行い、なされた操作が保存ボタンへの押下操作でない場合（ステップＳ１０９においてＮＯ）、ステップＳ１１７の処理を行う。
【００４２】
ステップＳ１１３において、制御部１９４は、運用メモ情報テーブル１２４に、運用メモの新規ＩＤ（Identifier）を登録し、運用メモを設定するベース画面の番号と、ベース画面とビュー画面との少なくともいずれで運用メモを表示するかについてオペレータから受け付けた指定とを運用メモ情報テーブル１２４に登録する。
【００４３】
ステップＳ１１７において、制御部１９４は、設定用ダイアログに対してなされた操作が取消ボタンへの押下操作であるか判定する。取消ボタンへの押下操作がなされた場合（ステップＳ１１７においてＹＥＳ）、制御部１９４は、ステップＳ１２５の処理を行い、なされた操作が取消ボタンへの押下操作でない場合（ステップＳ１１７においてＮＯ）、ステップＳ１２１の処理を行う。
【００４４】
ステップＳ１２１において、制御部１９４は、設定用ダイアログに対してなされた操作が終了ボタン（「閉じるボタン」）への押下操作であるか判定する。終了ボタンへの押下操作がなされた場合（ステップＳ１２１においてＹＥＳ）、制御部１９４は、ステップＳ１５３の処理を行い、そうでない場合（ステップＳ１２１においてＮＯ）、ステップＳ１０５の処理を行う。
【００４５】
ステップＳ１２５において、制御部１９４は、設定用ダイアログに入力された内容を消去して、設定用ダイアログを初期状態としてステップＳ１０５の処理を行う。
【００４６】
ステップＳ１２９において、制御部１９４は、設定用ダイアログにおいて、ベース画面とビュー画面とのうち、オペレータが運用メモを表示する画面をビュー画面のみとしたか否かを判定する。運用メモを表示する画面の指定がビュー画面のみである場合（ステップＳ１２９においてＹＥＳ）、制御部１９４は、ステップＳ１３３の処理を行い、そうでない場合（ステップＳ１２９においてＮＯ）、ステップＳ１３７の処理を行う。
【００４７】
ステップＳ１３３において、制御部１９４は、運用メモ情報テーブル１２４に、運用メモを貼り付けるビュー画面座標を保存する。
【００４８】
ステップＳ１３７において、制御部１９４は、設定用ダイアログにおいて、ベース画面とビュー画面とのうち、オペレータが運用メモを表示する画面をベース画面のみとしたか否かを判定する。運用メモを表示する画面の指定がベース画面のみである場合（ステップＳ１３７においてＹＥＳ）、制御部１９４は、ステップＳ１４１の処理を行い、そうでない場合（ステップＳ１３７においてＮＯ）、すなわちオペレータが設定用ダイアログにおいて、ベース画面とビュー画面との両方の画面に運用メモを表示することを指定した場合、ステップＳ１４５の処理を行う。
【００４９】
ステップＳ１４１において、制御部１９４は、運用メモ情報テーブル１２４に、運用メモを貼り付けるベース画面座標を保存する。
【００５０】
ステップＳ１４５において、制御部１９４は、運用メモ情報テーブル１２４に、運用メモを貼り付けるベース画面座標とビュー画面座標とを保存する。
【００５１】
ステップＳ１４９において、制御部１９４は、運用メモ情報テーブル１２４に、設定用ダイアログにおいてオペレータが入力したメモ内容を登録する。
【００５２】
ステップＳ１５３において、制御部１９４は、設定用ダイアログを終了させる（設定用ダイアログを閉じる）処理を実行する。
【００５３】
このようにして、画面表示装置１０は、オペレータから、運用メモの設定を受け付けて運用メモ情報テーブル１２４を更新する。
【００５４】
＜ベース画面とビュー画面との表示例＞
図５と図６とを参照して、画面表示装置１０における画面の表示例を説明する。
【００５５】
図５は、ベース画面とビュー画面とに運用メモを表示する表示例を示す図である。図５の状態（Ａ）は、画面表示装置１０がディスプレイ１０２に表示するベース画面の表示例を示す。図５の状態（Ｂ）は、画面表示装置１０がディスプレイ１０２に表示するビュー画面の表示例を示す。
【００５６】
図５の状態（Ａ）に示すように、画面表示装置１０は、オペレータが指定したベース画面番号に示されるベース画面をベース画面データ１２３から読み出す。画面表示装置１０は、運用メモ情報テーブル１２４を参照し、指定種別１２４Ｃにおいてベース画面が指定されている運用メモ（指定種別「１．ベース画面指定」および「３．両画面指定」）を特定して、ディスプレイ１０２に、ベース画面と、ベース画面において表示する運用メモ（運用メモ２２１、運用メモ２２５）とを表示する。
【００５７】
ここで、画面表示装置１０が、オペレータの入力操作を受け付けて、ベース画面のうちビュー表示範囲２１１に示される表示範囲を選択してビュー画面表示のための操作を受け付けたとする。この場合、状態（Ｂ）に示すように、画面表示装置１０は、ベース画面の一部分（ビュー表示範囲２１１に示される範囲）を拡大したビュー画面をディスプレイ１０２に表示する。画面表示装置１０は、運用メモ情報テーブル１２４を参照し、ビュー画面に、指定種別１２４Ｃにおいてビュー画面が指定されている運用メモ（指定種別「２．ビュー画面指定」および「３．両画面指定」）を特定して、ディスプレイ１０２に、ベース画面の一部分を拡大した画面（ビュー画面）と、ビュー画面において表示する運用メモ（運用メモ２２３、運用メモ２２７）とを表示する。画面表示装置１０は、ビュー画面を表示している状態で、オペレータがベース画面の表示範囲を変更させた場合（ビュー表示範囲２１１に示される範囲を拡大、縮小、移動させた場合）、オペレータの操作に応じて、ベース画面の一部分をディスプレイ１０２に表示させる。しかし、ビュー画面においては、オペレータがベース画面の表示範囲を変更させたとしても、ビュー画面で表示する運用メモ２２３および運用メモ２２７の表示位置は運用メモ貼付け座標１２４Ｄに示される座標である。すなわち、画面表示装置１０は、ビュー画面において、オペレータがベース画面の表示範囲を変更する操作をした場合においても、ビュー画面で表示する運用メモ２２３および運用メモ２２７の表示位置を固定する。なお、ベース画面に貼り付けられた運用メモは、ベース画面上の座標と対応付けられているため、オペレータがビュー画面を表示させるためベース画面を拡大または縮小させる操作に伴って移動する。
【００５８】
このように構成することで、画面表示装置１０は、オペレータの操作に応じて、運用メモを、ベース画面座標と、ビュー画面座標とのうち少なくともいずれかまたは両方を指定して画面に貼り付けることができる。
【００５９】
＜運用メモ設定ダイアログの表示例＞
図６は、オペレータから運用メモの設定を受け付けるための設定ダイアログの表示例を示す図である。
【００６０】
図６に示すように、画面表示装置１０は、運用メモ設定ダイアログ２４１をディスプレイ１０２に表示して、オペレータから運用メモの設定を受け付ける。座標種別指定部２４２は、オペレータから、運用メモを貼り付ける対象となる画面がベース画面とビュー画面とのうちいずれであるか、またはその両方であるかの指定を受け付けるための領域である。画面表示装置１０は、座標種別指定部２４２において受け付けた指定に基づいて、運用メモ情報テーブル１２４の指定種別１２４Ｃを更新する。メモ内容入力部２４３は、運用メモの内容の入力をオペレータから受け付けるための領域である。画面表示装置１０は、メモ内容入力部２４３において受け付けた内容に基づいて、運用メモ情報テーブル１２４のメモ内容１２４Ｅを更新する。取消ボタン２４４は、運用メモ設定ダイアログ２４１においてオペレータから受け付けた入力内容を消去し、初期化するための操作を受け付けるボタンである。保存ボタン２４５は、運用メモ設定ダイアログ２４１においてオペレータから受け付けた内容を運用メモ情報テーブル１２４に保存するための操作を受け付けるボタンである。終了ボタン２４６は、運用メモ設定ダイアログ２４１においてオペレータから、運用メモの設定を終了するための操作を受け付けるボタンである。
【００６１】
＜画面の表示内容を更新する動作＞
図７を参照して、オペレータが画面をスクロールさせる操作やベース画面を切り替える操作を行った場合など、画面表示装置１０がディスプレイ１０２に表示する画面を更新する処理を説明する。
【００６２】
図７は、ベース画面またはビュー画面の表示内容を、オペレータの操作に応じて更新する処理を示すフローチャートである。
【００６３】
ステップＳ２０１において、マウスイベント受付部１１１は、マウスイベントの入力を受け付けて、受け付けたイベント内容をマウスイベント処理部１１２へ渡す。
【００６４】
ステップＳ２０５において、マウスイベント処理部１１２は、マウスイベント受付部１１１からマウスイベントの内容を受け付けて、受け付けたマウスイベントの種別を判定する。
【００６５】
ステップＳ２０９において、マウスイベント処理部１１２は、マウスイベントの種別が画面のスクロール操作であるか否かを判定する。マウスイベントの種別が画面のスクロール操作である場合（ステップＳ２０９においてＹＥＳ）、画面表示装置１０は、ステップＳ２１３の処理を行う。すなわち、マウスイベントの種別が画面のスクロール操作である場合、ベース画面のうち、ビュー画面として表示する範囲が変更されることとなる。マウスイベントの種別が画面のスクロール操作でない場合（ステップＳ２０９においてＮＯ）、ステップＳ２１７の処理を行う。
【００６６】
ステップＳ２１３において、ビュー画面コントローラ１１５は、ベース画面メモリ１３３から、新たにビュー画面の表示範囲となる範囲の画像データを読み出してビュー画面メモリ１３５へ書き込む。なお、ステップＳ２１３において、ビュー画面コントローラ１１５は、ビュー画面の表示範囲の指定をオペレータから受け付けていない場合は、画像データのビュー画面メモリ１３５への書き込みを行わないか、ベース画面のうち予め定められた表示範囲の画像データをビュー画面メモリ１３５へ書き込む。
【００６７】
ステップＳ２１７において、マウスイベントの種別がベース画面の切替要求である場合（ステップＳ２１７においてＹＥＳ）、画面表示装置１０は、ステップＳ２２１の処理を行い、そうでない場合（ステップＳ２１７においてＮＯ）、処理を終了する。
【００６８】
ステップＳ２２１において、ベース画面コントローラ１１３は、マウスイベントで受け付けたベース画面の切替要求に基づいて、切替先となるベース画面番号を取得する。
【００６９】
ステップＳ２２５において、ベース画面コントローラ１１３は、ステップＳ２２１で特定したベース画面番号のベース画面をベース画面データ１２３から読み出してベース画面メモリ１３３へ書き込む。
【００７０】
ステップＳ２２９において、運用メモコントローラ１１４は、運用メモ情報テーブル１２４から、切替先となるベース画面番号において表示する運用メモを運用メモ情報テーブル１２４から読み出してベースメモ画面メモリ１３４へ書き込む。画面表示装置１０は、ステップＳ２２９の処理に続いてステップＳ２１３の処理を行う。
【００７１】
ステップＳ２３３において、運用メモコントローラ１１４は、運用メモ情報テーブル１２４から、ビュー画面に表示することが指定されている運用メモを、指定種別１２４Ｃを参照して特定し、特定した運用メモを読み出してビューメモ画面メモリ１３６へ書き込む。運用メモコントローラ１１４は、ベース画面に表示される運用メモのうちビュー画面の表示範囲に含まれる運用メモを運用メモ情報テーブル１２４から読み出してビューメモ画面メモリ１３６へ書き込む。例えば、運用メモコントローラ１１４は、運用メモ情報テーブル１２４を参照し、運用メモ貼付け座標１２４Ｄにおいてベース画面座標の座標値が、ベース画面のうちビュー画面として拡大して表示する表示範囲に含まれるか否かを判定することで、ベース画面に表示される運用メモのうちビュー画面の表示範囲に含まれる運用メモを特定する。
【００７２】
このように構成することで、画面表示装置１０は、オペレータの操作に応じて、運用メモを、ベース画面座標と、ビュー画面座標とのうち少なくともいずれかまたは両方を指定して画面に貼り付けることができる。これにより、運用メモの表示位置を柔軟に指定する画面表示装置を実現することができ、運用メモを用いて監視対象物を監視するオペレータの操作性をいっそう向上させることができる。
【００７３】
＜実施の形態２＞
別の実施形態の画面表示装置について説明する。実施の形態２の画面表示装置１２は、監視対象物（例えば、開閉器）の状態の変化時（異常発生時など）や、監視対象物をオペレータが選択した時や、一定期間が経過した時や、予め定められた期間（例えば、夏期期間として定められた期間、機器が検査されている期間）にあるときなど、監視対象物を監視する運用に関する所定の条件が満たされるか否かを画面表示装置１２が判定し、所定の条件が満たされる場合に、運用メモをディスプレイ１０２に表示する。例えば、ベース画面やビュー画面においてオペレータが指定した座標に運用メモを常時表示する構成とする他に、常時表示するのではなく、イベントが発生した場合など所定の条件が満たされた場合に運用メモを表示したい場合もある。また、イベントの種別に応じて、表示すべき運用メモを変更したい場合もある。
【００７４】
＜構成＞
図８は、実施の形態２の画面表示装置１２の機能的な構成を示す図である。図８に示すように、画面表示装置１２は、実施の形態１の画面表示装置１０と比較すると、さらに、状態変化イベント受付部１５１と、状態変化イベント処理部１５２と、期間イベント受付部１６１と、期間イベント処理部１６２とを含む。状態変化イベント受付部１５１、状態変化イベント処理部１５２、期間イベント受付部１６１、および期間イベント処理部１６２は、監視対象物を監視する運用に関する所定の条件が満たされたことを画面表示装置１２が検出するための構成である。また、画面表示装置１２は、データベース１２０において運用メモ情報テーブル１２６を記憶する。
【００７５】
状態変化イベント受付部１５１は、監視対象物である機器の状態が変化した場合にイベントとして受け付ける。例えば、画面表示装置１２は、通信部を備え、監視対象物の状態を示す情報（事故の発生など）を、通信部を介して逐次受信する。状態変化イベント処理部１５２は、状態変化イベント受付部１５１が受け付けたイベントの種別を判定する。
【００７６】
期間イベント受付部１６１は、画面表示装置１２がオペレータの操作により監視対象物の監視を行っている場合に、任意の時点から一定期間が経過した場合にイベントとして受け付ける。また、期間イベント受付部１６１は、予めオペレータにより定められた時点（例えば、一定の時間間隔ごと）に到来していること、または予めオペレータにより定められた一定期間において、期間に関するイベントの発生を受け付ける。期間イベント処理部１６２は、期間イベント受付部１６１で受け付けたイベントの種別を判定する。
【００７７】
＜データ構造＞
図９は、実施の形態２の画面表示装置１２が記憶する運用メモ情報テーブル１２６のデータ構造を示す図である。図９に示すように、運用メモ情報テーブル１２６の各レコードは、運用メモＩＤ１２６Ａと、機器種別情報１２６Ｂと、機器特定情報１２６Ｃと、イベント種別１２６Ｄと、指定種別１２６Ｅと、運用メモ貼付け座標１２６Ｆと、メモ内容１２６Ｇとを含む。画面表示装置１２は、ベース画面番号ごとに、運用メモ情報テーブル１２６のテーブルを保持することとしてもよい。
【００７８】
運用メモＩＤ１２６Ａは、オペレータによって入力される各運用メモを識別する情報である。
【００７９】
機器種別情報１２６Ｂは、運用メモと関連付けられる機器の種別を示す情報である。例えば、機器の種別として、断路器、遮断器その他の装置がある。
【００８０】
機器特定情報１２６Ｃは、機器種別情報１２６Ｂに示される機器の種別において、ベース画面に含まれる各機器を識別するための情報である。
【００８１】
イベント種別１２６Ｄは、運用メモと関連付けられるイベントの種別を示す。図９に示すように、イベント種別１２６Ｄにおいて、監視対象物を監視する運用に関する所定の条件として、監視対象物の状態が変化したことを条件とする種別「１．事故状態変化」、監視対象物をオペレータが選択する操作を条件とする種別「２．機器選択操作」、一定期間が経過した場合などを条件とする種別「３．指定期間」の指定を受け付けている。
【００８２】
指定種別１２６Ｅは、運用メモを表示する対象がベース画面であるか（図３において、指定「１．ベース画面指定」として示す）、ビュー画面であるか（指定「２．ビュー画面」）、ベース画面とビュー画面との両方であるか（指定「３．両画面指定」）を示す。
【００８３】
運用メモ貼付け座標１２６Ｆは、運用メモを表示する座標を示す。実施の形態２では、画面表示装置１２は、ベース画面において運用メモを表示するための座標（ベース画面座標）と、ビュー画面において運用メモを表示するための座標（ビュー画面座標）とをそれぞれ設定可能であるとしている。
【００８４】
メモ内容１２６Ｇは、オペレータによって入力される運用メモの内容（テキスト）を示す。
【００８５】
図９に示すように、画面表示装置１２は、機器の指定とともに運用メモの設定を受け付けることができる。これにより、画面表示装置１２は、指定された機器について状態が変化した場合や機器を選択する操作が行われた場合に運用メモを表示することができる。また、画面表示装置１２は、機器の指定を受け付けず（図９の運用メモＩＤ「０００４」など）運用メモの設定を受け付ける。これにより、特定の機器ではなく、指定期間の到来時など一定の条件が満たされる場合に（例えば、予め定められた夏期期間の到来）、運用メモを表示することができる。
【００８６】
＜動作＞
図１０から図１４を参照して、実施の形態２の画面表示装置１２の動作を説明する。
【００８７】
図１０は、画面表示装置１２がオペレータから運用メモの設定を受け付けて運用メモ情報テーブル１２６を更新する処理を示すフローチャートである。
【００８８】
ステップＳ３０１において、制御部１９４は、ベース画面またはビュー画面においてオペレータが指定した座標（例えば、マウスクリックがなされた座標）において機器が配置されている場合、当該機器の種別を示す情報（機器種別情報）と、当該機器を特定する情報（機器特定情報）とをベース画面データ１２３に基づき取得する。
【００８９】
ステップＳ３０５において、制御部１９４は、機器を指定して運用メモを設定するための設定用ダイアログを表示して、オペレータからの運用メモの入力を受け付ける。
【００９０】
ステップＳ３０９において、制御部１９４は、設定用ダイアログに対してなされた操作が保存ボタンへの押下操作であるか判定する。保存ボタンへの押下操作がなされた場合（ステップＳ３０９においてＹＥＳ）、制御部１９４は、ステップＳ３１３の処理を行い、なされた操作が保存ボタンへの押下操作でない場合（ステップＳ３０９においてＮＯ）、ステップＳ３１７の処理を行う。
【００９１】
ステップＳ３１３において、制御部１９４は、運用メモ情報テーブル１２６に、運用メモの新規ＩＤを登録し、取得した機器の種別を示す情報と、機器を特定する情報とを運用メモ情報テーブル１２６に登録する。
【００９２】
ステップＳ３１７において、制御部１９４は、設定用ダイアログに対してなされた操作が取消ボタンへの押下操作であるか判定する。取消ボタンへの押下操作がなされた場合（ステップＳ３１７においてＹＥＳ）、制御部１９４は、ステップＳ３２５の処理を行い、なされた操作が取消ボタンへの押下操作でない場合（ステップＳ３１７においてＮＯ）、ステップＳ３２１の処理を行う。
【００９３】
ステップＳ３２１において、制御部１９４は、設定用ダイアログに対してなされた操作が終了ボタン（「閉じるボタン」）への押下操作であるか判定する。終了ボタンへの押下操作がなされた場合（ステップＳ３２１においてＹＥＳ）、制御部１９４は、ステップＳ３３３の処理を行い、そうでない場合（ステップＳ３２１においてＮＯ）、ステップＳ３０５の処理を行う。
【００９４】
ステップＳ３２５において、制御部１９４は、設定用ダイアログに入力された内容を消去して、設定用ダイアログを初期状態としてステップＳ３０５の処理を行う。
【００９５】
ステップＳ３２９において、制御部１９４は、運用メモを表示させるための座標の情報を設定用ダイアログで受け付けた場合に、受け付けた座標を運用メモ情報テーブル１２６に保存し、設定用ダイアログにおいてオペレータから指定を受け付けたイベントの種別と、メモの内容とを運用メモ情報テーブル１２６に登録する。
【００９６】
ステップＳ３３３において、制御部１９４は、設定用ダイアログを終了させる（設定用ダイアログを閉じる）処理を実行する。
【００９７】
このようにして、画面表示装置１２は、運用メモの設定をオペレータから受け付けるときに、機器を指定した場合は、機器の状態変化イベントの発生や機器を選択する操作がなされた時に、予め登録された運用メモをディスプレイ１０２に表示させることができる。また、予め定められた条件が満たされた場合に運用メモを表示するため、オペレータの利便性が高まる。
【００９８】
＜画面の表示例＞
図１１から図１３を参照して、画面表示装置１２における画面の表示例を説明する。
【００９９】
図１１は、機器の状態が変化するイベントが発生した場合の運用メモの表示例を示す図である。図１１の状態（Ａ）は、画面表示装置１２がディスプレイ１０２に表示するベース画面の例を示す。状態（Ｂ）は、監視対象物の状態が変化することで運用メモを表示する場合の表示例を示す図である。状態（Ａ）に示す監視対象物２６０において、事故が発生して監視対象物２６０の状態に変化が発生したとする（事故の発生により、監視対象物の状態が変化するイベントが発生したとする）。このとき、状態（Ｂ）に示すように、画面表示装置１２は、事故状態変化イベントの発生を契機として、状態変化時運用メモ２６１をディスプレイ１０２に表示する。画面表示装置１２は、例えば、機器にトリップが発生した時にのみ運用メモを表示することができる。
【０１００】
図１２は、機器を選択するイベントが発生した場合の運用メモの表示例を示す図である。図１２の状態（Ａ）は、画面表示装置１２がディスプレイ１０２に表示するベース画面の例を示す。状態（Ｂ）は、監視対象物がオペレータによって選択されることで運用メモを表示する場合の表示例を示す。状態（Ａ）において、カーソル画像２６２がオペレータの操作によって監視対象物２６０を指し示すようになったとする。このとき、状態（Ｂ）に示すように、画面表示装置１２は、オペレータが監視対象物２６０をカーソル画像２６２によって選択するイベントの発生を契機として、選択操作時運用メモ２６３をディスプレイ１０２に表示する。
【０１０１】
＜運用メモ設定ダイアログの表示例＞
図１３は、実施の形態２においてオペレータから運用メモの設定を受け付けるための設定ダイアログの表示例を示す図である。
【０１０２】
図１３に示すように、画面表示装置１２は、運用メモ設定ダイアログ２７１をディスプレイ１０２に表示して、オペレータから運用メモの設定を受け付ける。また、画面表示装置１２は、オペレータから、ベース画面又はビュー画面に表示される機器を指定する操作とともに、運用メモ設定ダイアログ２７１を表示して運用メモの設定を受け付けることもできる。座標種別指定部２７２は、オペレータから、運用メモを貼り付ける対象となる画面がベース画面とビュー画面とのうちいずれであるか、またはその両方であるかの指定を受け付けるための領域である。メモ内容入力部２７３は、運用メモの内容の入力をオペレータから受け付けるための領域である。画面表示装置１２は、メモ内容入力部２７３において受け付けた内容に基づいて、運用メモ情報テーブル１２６のメモ内容１２６Ｇを更新する。取消ボタン２７４は、運用メモ設定ダイアログ２７１においてオペレータから受け付けた入力内容を消去し、初期化するための操作を受け付けるボタンである。保存ボタン２７５は、運用メモ設定ダイアログ２７１においてオペレータから受け付けた内容を運用メモ情報テーブル１２６に保存するための操作を受け付けるボタンである。終了ボタン２７６は、運用メモ設定ダイアログ２７１においてオペレータから、運用メモの設定を終了するための操作を受け付けるボタンである。イベント種別指定部２７７は、オペレータから、運用メモを表示させるイベントの種別の指定を受け付けるための領域である。画面表示装置１２は、イベント種別指定部２７７において、オペレータがイベントの種別として種別「指定期間」を選択した場合に、期間（特定の日または一定の期間）の入力を受け付ける。
【０１０３】
＜イベント発生時の画面の表示内容を更新する処理＞
図１４を参照して、実施の形態２における画面表示装置１２がディスプレイ１０２に表示する画面を更新する処理を説明する。
【０１０４】
図１４は、ベース画面またはビュー画面の表示内容を、イベントの発生に応じて画面表示装置１２が更新する処理を示すフローチャートである。
【０１０５】
ステップＳ４０１において、状態変化イベント受付部１５１は、監視対象物を監視する運用に関するイベントの発生（機器の状態変化、機器をオペレータが選択）を受け付けて、受け付けたイベント内容を状態変化イベント処理部１５２へ渡す。また、期間イベント受付部１６１は、予め指定した日時または指定期間が到来すると、イベントが発生したとしてイベントの内容を期間イベント処理部１６２へ渡す。
【０１０６】
ステップＳ４０５において、状態変化イベント処理部１５２と１５３ｗとは、イベントの種別を判定する。
【０１０７】
ステップＳ４０９において、状態変化イベント処理部１５２は、イベントの種別が事故状態変化イベントであるか否かを判定する。イベントの種別が事故状態変化イベントである場合（ステップＳ４０９においてＹＥＳ）、画面表示装置１２は、ステップＳ４１３の処理を行い、そうでない場合（ステップＳ４０９においてＮＯ）、画面表示装置１２は、ステップＳ４１７の処理を行う。
【０１０８】
ステップＳ４１３において、運用メモコントローラ１１４は、運用メモ情報テーブル１２６から、判定したイベントの種別「事故状態変化」に対応する機器種別情報、機器特定情報、およびメモ内容を読み出す。
【０１０９】
ステップＳ４１７において、状態変化イベント処理部１５２は、イベントの種別が機器選択操作イベントであるか否かを判定する。イベントの種別が機器選択操作イベントである場合（ステップＳ４１７においてＹＥＳ）、画面表示装置１２は、ステップＳ４２１の処理を行い、そうでない場合（ステップＳ４１７においてＮＯ）、ステップＳ４２５の処理を行う。
【０１１０】
ステップＳ４２１において、運用メモコントローラ１１４は、運用メモ情報テーブル１２６から、判定したイベントの種別「機器選択操作」に対応する機器種別情報、機器特定情報、およびメモ内容を読み出す。
【０１１１】
ステップＳ４２５において、期間イベント処理部１６２は、イベントの種別が期間を示すイベントであるか否かを判定する。イベントの種別が期間を示すイベントである場合（ステップＳ４２５においてＹＥＳ）、画面表示装置１２は、ステップＳ４２９の処理を行い、そうでない場合（ステップＳ４２５においてＮＯ）、処理を終了する。
【０１１２】
ステップＳ４２９において、運用メモコントローラ１１４は、運用メモ情報テーブル１２６から、判定したイベントの種別「指定期間」に対応する機器種別情報、機器特定情報、およびメモ内容を読み出す。
【０１１３】
ステップＳ４３３において、運用メモコントローラ１１４は、読み出した運用メモにおいて、運用メモを貼り付ける座標が運用メモ貼付け座標１２６Ｆによって指定されている場合、運用メモ貼付け座標１２６Ｆから座標値を取得する。運用メモコントローラ１１４は、ベース画面データ１２３から、ステップＳ４１３、ステップＳ４２１またはステップＳ４２９で読み出した機器種別情報および機器特定情報に示される機器のシンボル（機器を示す画像）の座標値を取得する。
【０１１４】
ステップＳ４３７において、運用メモコントローラ１１４は、運用メモを、運用メモ貼付け座標１２６Ｆから取得した座標値、またはステップＳ４３３で取得したシンボルの座標の近傍に貼り付けるようベースメモ画面メモリ１３４にデータを書き込む。
【０１１５】
このように構成することで、画面表示装置１２は、イベントの発生を契機として運用メモをディスプレイ１０２に表示することができる。
【０１１６】
＜実施の形態３＞
別の実施形態の画面表示装置について説明する。
【０１１７】
実施の形態１では、画面表示装置がオペレータの操作に応じて運用メモをベース画面とビュー画面のいずれか一方または両方に表示させることを説明した。実施の形態２では、機器の状態変化イベントが発生した時、オペレータによる機器を選択する操作を受け付けた時、または指定期間が到来した時など一定の条件が満たされた場合に画面表示装置１２が運用メモをディスプレイ１０２に表示させることを説明した。実施の形態３の画面表示装置は、一定の条件が満たされた場合に、ベース画面またはビュー画面のいずれかに表示される運用メモを、もう一方の画面に表示する。すなわち、運用メモがベース画面にのみ表示されるよう指定されている場合、画面表示装置は、一定の条件が満たされた場合に、運用メモをビュー画面にもコピーして表示させる（またはビュー画面に移動させる）。同様に、運用メモがビュー画面にのみ表示されるよう指定されている場合、画面表示装置は、一定の条件が満たされた場合に、運用メモをベース画面にもコピーして表示させる（またはベース画面に移動させる）。ここで、一定の条件が満たされた場合とは、実施の形態２と同様に、機器の状態変化イベントが発生した時（例えば、トリップが発生した場合、異常が発生した場合など）、オペレータによる機器を選択する操作を受け付けた時、または指定期間が到来した時（指定日の当日、または指定日の一定期間より前の日の到来）などがある。
【０１１８】
図１５は、実施の形態３における画面表示装置の表示例を示す図である。
図１５の状態（Ａ）は、ある時点Ａにおけるベース画面の表示例を示す。状態（Ｂ）は、状態（Ａ）に示すベース画面のビュー表示範囲２１１に示す範囲を拡大したビュー画面の表示例を示す。状態（Ｃ）は、状態（Ａ）または状態（Ｂ）に示すある時点Ａ以降において、一定の条件が満たされたある時点Ｂにおけるベース画面の表示例を示す。状態（Ｄ）は、状態（Ｃ）に示すベース画面のビュー表示範囲２１１に示す範囲を拡大したビュー画面の表示例を示す。
【０１１９】
状態（Ａ）に示すベース画面において、画面表示装置は、運用メモ２８１と運用メモ２８２とをディスプレイ１０２に表示している。このうち、運用メモ２８１は、一定の条件が満たされた場合に、ベース画面からビュー画面へと移動する。状態（Ｂ）に示すビュー画面において、画面表示装置は、運用メモ２８３を表示している。また、状態（Ｂ）において、ベース画面に表示される運用メモである運用メモ２８２がディスプレイ１０２に表示されている。
【０１２０】
状態（Ｃ）および状態（Ｄ）に示すように、ビュー画面に表示される運用メモ２８３は、所定の条件が満たされた場合に、ベース画面にコピーされる。また、ベース画面に表示される運用メモ２８１は、所定の条件が満たされた場合に、ビュー画面へと移動する。
【０１２１】
また、所定の条件として、運用メモに対する重要度の指定をオペレータから受け付けた場合に、ベース画面またはビュー画面に表示される運用メモをコピーまたは移動させることとしてもよい。
【０１２２】
また、運用メモに示される指示に対しオペレータが処置を完了した場合に、当該処置が完了したことを運用メモ情報テーブル１２４に登録できることとしてもよい。
【０１２３】
ある局面において、本実施の形態に係る画面表示装置は、プロセッサと、当該プロセッサで実行されるプログラムとにより実現される。本実施の形態を実現するプログラムは、通信インタフェースを介してネットワークを利用した送受信等により提供される。
【０１２４】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【０１２５】
１０  画面表示装置、１２  画面表示装置、１０１  マウス、１０２  ディスプレイ、１１１  マウスイベント受付部、１１２  マウスイベント処理部、１１３  ベース画面コントローラ、１１４  運用メモコントローラ、１１５  ビュー画面コントローラ、１２０  データベース、１２３  ベース画面データ、１２４  運用メモ情報テーブル、１２６  運用メモ情報テーブル、１３３  ベース画面メモリ、１３４  ベースメモ画面メモリ、１３５  ビュー画面メモリ、１３６  ビューメモ画面メモリ、１３７  画面表示用メモリ、１４１  画面表示部、１５１  状態変化イベント受付部、１５２  状態変化イベント処理部、１６１  期間イベント受付部、１６２  期間イベント処理部、１９０  入力ＩＦ、１９１  出力ＩＦ、１９２  メモリコントローラ、１９３  記憶部、１９４  制御部、１９５  メモ入力受付部、１９６  表示制御部、１９７  認証処理部、１９８  オペレータ認証情報、１９９  メモ合成画面、２１１  ビュー表示範囲、２４１  運用メモ設定ダイアログ、２４２  座標種別指定部、２４３  メモ内容入力部、２４４  取消ボタン、２４５  保存ボタン、２４６  終了ボタン、２６０  監視対象物、２６１  状態変化時運用メモ、２６２  カーソル画像、２６３  選択操作時運用メモ、２７１  運用メモ設定ダイアログ、２７２  座標種別指定部、２７３  メモ内容入力部、２７４  取消ボタン、２７５  保存ボタン、２７６  終了ボタン、２７７  イベント種別指定部。
【図１】
2016200951.tif 000003
【図２】
2016200951.tif 000004
【図３】
2016200951.tif 000005
【図４】
2016200951.tif 000006
【図５】
2016200951.tif 000007
【図６】
2016200951.tif 000008
【図７】
2016200951.tif 000009
【図８】
2016200951.tif 000010
【図９】
2016200951.tif 000011
【図１０】
2016200951.tif 000012
【図１１】
2016200951.tif 000013
【図１２】
2016200951.tif 000014
【図１３】
2016200951.tif 000015
【図１４】
2016200951.tif 000016
【図１５】
2016200951.tif 000017